(57)【要約】【課題】免震構造物の位置ずれを容易に且つ効率的に修復することを可能にする免震構造物の位置修復方法を提供する。【解決手段】免震ピット１と、免震ピット１内に設置された免震装置２と、免震ピット１との間に免震装置２を介装して設けられ、免震装置２で支持された構造物本体３とからなる免震構造物４の位置を修復する方法であって、構造物本体３が位置ずれした状態の免震ピット１内に蓄えられた水５により構造物本体３に浮力を作用させ、この状態で所定の方向に外力を負荷して構造物本体３を所定の位置に移動させる。【選択図】図２
2016014237.tif 000002
【特許請求の範囲】
【請求項１】
免震ピットと、該免震ピット内に設置された免震装置と、前記免震ピットとの間に前記免震装置を介装して設けられ、前記免震装置で支持された構造物本体とからなる免震構造物の位置を修復する方法であって、
前記構造物本体が位置ずれした状態の前記免震ピット内に蓄えられた水により前記構造物本体に浮力を作用させ、この状態で所定の方向に外力を負荷して前記構造物本体を所定の位置に移動させることを特徴とする免震構造物の位置修復方法。
【請求項２】
請求項１記載の免震構造物の位置修復方法において、
前記構造物本体に浮体を取り付け、前記浮体で浮力を調整し、前記構造物本体の各部位に所望の浮力を作用させるようにして、前記構造物本体を移動させることを特徴とする免震構造物の位置修復方法。
【発明の詳細な説明】
【技術分野】
【０００１】
本発明は、免震構造物の位置を修復する方法に関する。
【背景技術】
【０００２】
例えば、大地震が発生すると、建築物、土木構造物などの構造物や地盤は大きな地震動を受けることで変位が生じる。このとき、構造物に作用する地震水平力＞構造物の滑動抵抗となると、構造物は地盤上を滑動し、地震後、構造物には残留変位が生じる。すなわち、構造物の位置が地震前後で変わってしまう。
【０００３】
なお、直接地盤に設置して構築されている通常の直接基礎構造物や杭基礎構造物では、構造物に作用する地震水平力＞構造物の滑動抵抗となることがほとんどない。このため、構造物が滑動して大きく位置ずれする可能性が低い。
【０００４】
一方、図４に示すように、免震ピット１と、免震ピット１内に設置した積層ゴム、滑り支承などの免震装置２とで免震構造を構成し、この免震構造の免震装置２で構造物本体（構造物）３を支持するように構成した免震構造物４が知られている（例えば、特許文献１、特許文献２、特許文献３、特許文献４参照）。
【０００５】
このように構成した免震構造物４は、地震力が作用した際、免震ピット１と構造物本体３の相対的な水平変位を免震装置２で吸収緩和し、構造物本体３の横揺れを大幅に低減できる。
【先行技術文献】
【特許文献】
【０００６】
【特許文献１】特開２０１０−０７０９０９号公報
【特許文献２】特開２０１１−２１４７０３号公報
【特許文献３】特開２００６−１６８８８号公報
【特許文献４】特開２００５−２４０８１６号公報
【発明の概要】
【発明が解決しようとする課題】
【０００７】
しかしながら、上記の免震構造物４においては、地震時に免震ピット１と構造物本体３との相対的な水平変位を免震装置２で吸収緩和して構造物本体３の横揺れを低減するため、すなわち前述の構造物（構造物本体）に作用する地震水平力＞構造物の滑動抵抗の関係が成立するため、免震ピット１に対して構造物本体３が横にずれ、地震後に構造物本体３に残留変位が生じてしまう。特に、免震装置２が滑り支承である場合には、大きな残留変位が生じる可能性がある。
【０００８】
そして、このように生じた残留変位をなくすために免震構造物４の位置を修復する必要が生じるが、ずれた構造物本体３を移動させ、免震装置２の位置が当初の位置になるように修復するには、非常に大きな力を構造物本体３に負荷する必要がある。このため、多くの数、大きな容量の重機やジャッキなどの移動手段が必要になり、さらに、移動作業時に構造物本体３や免震ピット１に補強を施したり、構造物本体３にねじれなどを防止する手段を設ける必要が生じる。これにより、この免震構造物４の位置修復作業には多大な費用と労力を要するという問題があった。
【０００９】
本発明は、上記事情に鑑み、免震構造物の位置ずれを容易に且つ効率的に修復することを可能にする免震構造物の位置修復方法を提供することを目的とする。
【課題を解決するための手段】
【００１０】
上記の目的を達するために、この発明は以下の手段を提供している。
【００１１】
本発明の免震構造物の位置修復方法は、免震ピットと、該免震ピット内に設置された免震装置と、前記免震ピットとの間に前記免震装置を介装して設けられ、前記免震装置で支持された構造物本体とからなる免震構造物の位置を修復する方法であって、前記構造物本体が位置ずれした状態の前記免震ピット内に蓄えられた水により前記構造物本体に浮力を作用させ、この状態で所定の方向に外力を負荷して前記構造物本体を所定の位置に移動させることを特徴とする。
【００１２】
また、本発明の免震構造物の位置修復方法においては、前記構造物本体に浮体を取り付け、前記浮体で浮力を調整し、前記構造物本体の各部位に所望の浮力を作用させるようにして、前記構造物本体を移動させるようにしてもよい。
【発明の効果】
【００１３】
本発明の免震構造物の位置修復方法においては、構造物本体（構造物）に浮力を作用させることで、構造物本体を移動させる際に必要な力の大きさを減じることができ、構造物本体を移動させる際に使用する重機やジャッキの台数、容量を小さくすることができる。
【００１４】
また、構造物本体に浮力が作用することで、さらに構造物本体に作用させる浮力を構造物本体の全重量と等しくして構造物本体の全体を水に浮かべた状態にすることで、移動する際にねじれなどの不要な力が構造物本体に作用することを防止でき、好適に構造物本体の位置を修復することが可能になる。
【図面の簡単な説明】
【００１５】
【図１】本発明の一実施形態に係る免震構造物の位置修復方法において、免震ピットに水を供給した状態を示す図である。
【図２】本発明の一実施形態に係る免震構造物の位置修復方法において、浮力が作用した構造物本体を移動手段で移動させている状態を示す図である。
【図３】本発明の一実施形態に係る免震構造物の位置修復方法において、構造物本体に浮体を取り付けて浮力を調整した状態を示す図である。
【図４】地震力によって構造物本体に位置ずれが生じ、地震後に残留変位が生じた状態を示す図である。
【発明を実施するための形態】
【００１６】
以下、図１から図４を参照し、本発明の一実施形態に係る免震構造物の位置修復方法について説明する。
【００１７】
はじめに、本実施形態の免震構造物４は、図１、図４に示すように、地盤Ｇを掘削して構築された免震ピット１と、免震ピット１内に設置されて構造物本体３を支持する滑り支承などの免震装置２とからなる免震構造を備えて構築されている。
【００１８】
また、本実施形態の免震ピット１は、地盤Ｇを所望の深さまで掘削することにより形成され、土圧を受けるための側壁部１ａと、底面を形成し、側壁部１ａとともに上方に開口する収容空間を形成する底盤部１ｂとを備えて構成されている。
【００１９】
そして、本実施形態の免震構造物４では、この免震ピット１の底盤部１ｂ上に複数の免震装置２が載置するように配設され、免震ピット１との間に免震装置２を介装するように複数の免震装置２に支持されて構造物本体３が設けられている。
【００２０】
また、このとき、免震ピット１の内方に配置された状態で、構造物本体３の側部と免震ピット１の側壁部１ａの間に所定のクリアランスが全周にわたって設けられている。すなわち、地震時等によって構造物本体３と免震ピット１が水平方向に相対的に変位した場合に、構造物本体３が側壁部１ａに接触しないように免震ピット１と構造物本体３が構築されている。
【００２１】
上記のように構成した本実施形態の免震構造物４においては、地震時に、免震ピット１と構造物本体３の相対的な水平変位を免震装置２で吸収して緩和することができ、これにより、構造物本体３の横揺れが大幅に低減する。
【００２２】
一方、図４に示すように、地震後に免震ピット１に対して構造物本体３が横にずれ、大きな残留変位が生じる可能性がある。
【００２３】
そして、このような地震後に残留変位が生じた状態の免震構造物４（構造物本体３）の位置を修復するための本実施形態の免震構造物の位置修復方法では、図１に示すように、構造物本体３が位置ずれした状態の免震ピット１内に水５を供給して構造物本体３に浮力を作用させる。すなわち、免震ピット１内に蓄えられた水５により構造物本体３に浮力を作用させることになる。
【００２４】
この状態で、図２に示すように、重機やジャッキなどの移動手段６を用いて構造物本体３に外力を負荷し、所定の方向に構造物本体３を移動（横引き・回転など）させる。
【００２５】
ここで、免震装置２が滑り免震支承である場合、（構造物本体を移動させる際に必要な力の大きさ）＝（横引きする構造物本体の全重量）×（滑り免震支承の摩擦係数（通常０．１程度））となる。
【００２６】
これに対し、本実施形態の免震構造物の位置修復方法では、免震ピット１に水５を供給して構造物本体３に浮力を作用させることで、（横引きする構造物本体の全重量）を実質的に減じることができる。このため、（構造物本体を移動させる際に必要な力の大きさ）を減じることができ、横引きに使用する移動手段６の規模、例えば大型重機やジャッキの台数、容量が小さくて済む。
【００２７】
また、構造物本体３に作用させる浮力の大きさは、構造物本体３の全重量の５割〜１０割の間で設定することが望ましい。特に、構造物本体３に作用させる浮力を構造物本体３の全重量と等しくすれば、構造物本体３の全体が水５に浮いた状態となる。このため、構造物本体３を横引きする際に、構造物本体３にねじれなどの不要な力が発生せず、好適に構造物本体３の移動作業が行える。
【００２８】
したがって、本実施形態の免震構造物の位置修復方法においては、構造物本体（構造物）３に浮力を作用させることで、構造物本体３を移動させる際に必要な力の大きさを減じることができ、構造物本体３を移動させる際に使用する重機やジャッキの台数、容量を小さく（少なく）することができる。
【００２９】
また、構造物本体３に浮力が作用することで、さらに構造物本体３に作用させる浮力を構造物本体３の全重量と等しくして構造物本体３の全体を水５に浮かべた状態にすることで、ねじれなどの不要な力が構造物本体３に作用することを防止でき、好適に構造物本体３の位置を修復することが可能になる。特に、例えば体育競技施設のような平面的に大型な構造物であっても、仮設の補強なしで均等に移動させることができ、容易に且つ効率的にその位置を修復することが可能になる。
【００３０】
また、万一免震装置２に損傷が生じるなどし、地震後に免震ピット１に対して構造物本体３が横にずれた状態で保持された場合においても、本実施形態のように免震ピット１に水５を入れて構造物本体３に浮力を作用させることにより、想定外の方向や量で変位するなどした構造物本体３の位置を比較的容易に修復することができ、免震装置２の修理や交換時の作業効率を大幅に向上させることが可能になる。
【００３１】
ここで、本発明に係る免震構造物の位置修復方法においては、図３に示すように、免震ピット１に水５を入れて構造物本体３に浮力を生じさせるとともに、構造物本体３にエアバックなどの浮体７を取り付け、この浮体７によってさらに浮力を得るようにしてもよい。
【００３２】
この場合には、エアバックなどの浮体７の取付位置や、その大きさ、エア量（浮力）などを調整することで、所望の浮力を容易に得ることができるとともに、構造物本体３に対して浮力が作用する位置、任意の位置に作用させる浮力の大きさを自在に調整することができる。これにより、例えば構造物本体３が非対称形状の構造物などであっても、構造物本体３にねじれや回転などが生じないようにしながら容易に移動することが可能になる。よって、より精度よく、且つ効率的、効果的に地震後の免震構造物４（構造物本体３）の位置を修復することが可能になる。
【００３３】
以上、本発明に係る免震構造物の位置修復方法の一実施形態について説明したが、本発明は上記の一実施形態に限定されるものではなく、その趣旨を逸脱しない範囲で適宜変更可能である。
【００３４】
例えば、本実施形態では、空の免震ピット１内に水５を供給して構造物本体３に浮力を作用させるように説明を行ったが、予め免震ピット１内に水が貯留されている場合（蓄えられている場合）にはこの水を利用して構造物本体３に浮力を生じさせ、その位置を修復するようにしてもよい。
【符号の説明】
【００３５】
１      免震ピット
１ａ    側壁部
１ｂ    底盤部
２      免震装置
３      構造物本体（構造物）
４      免震構造物
５      水
６      移動手段
７      浮体
Ｇ      地盤
【図１】
2016014237.tif 000003
【図２】
2016014237.tif 000004
【図３】
2016014237.tif 000005
【図４】
2016014237.tif 000006